(57)【要約】      （修正有）【課題】パンプス等の履物を履いている時にかかとが浮き上がるのを防止でき、装着時の見栄えがよい履物用ホルダーを提供する。【解決手段】履物と足の間に配置されるベース部材１と、ベース部材１に接続され、足に巻き付けられた状態で固定可能なベルト部材２とを有する履物用ホルダーである。ベルト部材２を開閉するための係止部材３を有し、ベース部材１を履物に固定するための粘着部材をさらに有する。ベース部材１のかかと部分にリング部材４ａが設けられ、ベルト部材２が、ベース部材１に着脱自在に接続されている。【選択図】図１
0003211115.tif 000002
【実用新案登録請求の範囲】
【請求項１】
履物と足の間に配置されるベース部材と、前記ベース部材に接続され、足に巻き付けられた状態で固定可能なベルト部材とを有する履物用ホルダー。
【請求項２】
前記ベルト部材を開閉するための係止部材をさらに有する請求項１に記載の履物用ホルダー。
【請求項３】
前記係止部材が、スナップ又はＳ字フックである請求項２に記載の履物用ホルダー。
【請求項４】
前記ベース部材を履物に固定するための粘着部材をさらに有する請求項１〜３のいずれか１項に記載の履物用ホルダー。
【請求項５】
前記粘着部材が、両面テープである請求項４に記載の履物用ホルダー。
【請求項６】
前記ベルト部材が、前記ベース部材に着脱自在に接続されている請求項１〜５のいずれか１項に記載の履物用ホルダー。
【請求項７】
前記ベース部材にリング部材が設けられており、前記リング部材のリング内に前記ベルト部材が通されている請求項６に記載の履物用ホルダー。
【請求項８】
前記ベース部材に、二本のスリットが入ったスリット部材が設けられており、前記スリット部材のスリットに前記ベルト部材が通されている請求項６に記載の履物用ホルダー。
【請求項９】
前記ベース部材が、履物用中敷である請求項１〜８のいずれか１項に記載の履物用ホルダー。
【請求項１０】
前記ベルト部材の長さを調整するための調整部材をさらに有する請求項１〜９のいずれか１項に記載の履物用ホルダー。
【考案の詳細な説明】
【技術分野】
【０００１】
本考案は、パンプス等の履物を履いている時にかかとが浮き上がるのを防止するための履物用ホルダーに関する。
【背景技術】
【０００２】
足の甲部分が大きく開いているパンプス等の履物には、足首等に固定するためのベルトが装着されているものがある。これは、特に足の甲が低い場合や硬い靴の場合、歩いている時に足が前方に滑ってかかとが浮き上がることがあるので、それを防止するためである。しかし、全ての履物にベルトが装着されている訳ではなく、お気に入りの履物に限ってベルトが装着されていなかったりする。
【０００３】
そこで、お気に入りの履物にベルトを後付けするため、種々の履物用ホルダーが開発されている。特許文献１及び２には、パンプス等の履物のヒール部分に装着するタイプが記載されている。特許文献３には、つま先とヒールの間の靴底にベルトを回すタイプが記載されている。特許文献４には、靴のかかと部分にクリップで留めるタイプが記載されている。
【先行技術文献】
【特許文献】
【０００４】
【特許文献１】特開２０１２−１１０６５２号公報
【特許文献２】特開２０１４−０４６１８４号公報
【特許文献３】特開２０１３−１０６９２１号公報
【特許文献４】特開２０１０−２５９７４７号公報
【考案の概要】
【考案が解決しようとする課題】
【０００５】
しかし、いずれの履物用ホルダーも装着部が外部から見えてしまうため、決して見栄えがいいものではなかった。特許文献１〜３に記載された履物用ホルダーは、ヒールのない履物には利用できないという問題もあった。特許文献４に記載された履物用ホルダーは、履物を脱ぐ際に、クリップが外れやすいという問題もあった。
【０００６】
そこで、本考案は、パンプス等の履物を履いている時にかかとが浮き上がるのを防止でき、装着時の見栄えがよい履物用ホルダーを提供することを目的とする。
【課題を解決するための手段】
【０００７】
本考案は、履物と足の間に配置されるベース部材と、前記ベース部材に接続され、足に巻き付けられた状態で固定可能なベルト部材とを有する履物用ホルダーである。
【考案の効果】
【０００８】
本考案によれば、パンプス等の履物を履いている時にかかとが浮き上がるのを防止でき、装着時の見栄えがよい履物用ホルダーを提供できる。
【図面の簡単な説明】
【０００９】
【図１】本考案に係る履物用ホルダーの構成例を示す模式的斜視図である。
【図２】本考案に係る履物用ホルダーの構成例を示す模式的斜視図である。
【図３】本考案に係る履物用ホルダーの構成例を示す模式的斜視図である。
【図４】本考案に係る履物用ホルダーの構成例を示す模式的斜視図である。
【図５】本考案に係る履物用ホルダーの構成例を示す模式的斜視図である。
【考案を実施するための形態】
【００１０】
本考案に係る履物用ホルダーの構成例を図１〜５に示す。これらの履物用ホルダーは、履物と足の間に配置されるベース部材１と、ベース部材１に接続され、足に巻き付けられた状態で固定可能なベルト部材２とを有する。図１〜５に示すベルト部材２は、係止部材３により開閉（分断・接続）可能となっている。
【００１１】
ベース部材１は、その少なくとも一部が履物と足の間に配置されるものであればよく、その全面が履物と足の間に配置されることが好ましい。例えば、図１及び３〜５に示すように、履物用中敷とすることができる。履物用中敷は、クッション性の有無、滑り止めの有無、消臭機能の有無など、様々なタイプのものが知られているが、それらから適宜選択して用いることができる。また、ベース部材１は、履物用中敷の一部であってもよく、例えば、履物用中敷の前半分や後半分とすることができる。さらに、図２に示すように、かかとの周りを囲むようなプレートであってもよい。このプレートは、プラスチック製とすることができる。このように、ベース部材１は、履物と足の間に配置された状態で、足により履物に押さえつけられるものが好ましい。
【００１２】
ベース部材１には、履物に固定するための粘着部材（不図示）をさらに有することが好ましい。こうすることで、ベース部材１が履物に固定され、履物を履いている時にかかとが浮き上がるのをより防止できる。粘着部材は、ベース部材１の裏面に設けられることが好ましく、その具体例としては、両面テープ、吸盤、シリコンゴム、ゲル、接着剤からなる層などが挙げられる。
【００１３】
ベース部材１には、ベルト部材２が接続されている。ベルト部材２は、足首や足の甲などの足に巻き付けられた状態で固定可能なものであればよく、ベルト、紐、リボン、ゴムなどが挙げられる。ベルトの場合、係止部材３により開閉可能であることが好ましい。紐状又はリボンの場合、途中で分断されていることが好ましく、足に固定する際には端部を縛ることで接続すればよい。ゴムの場合、足の大きさに合わせたリング状のものでよい。ベルト部材２の太さは、見栄え等を考慮して適宜設定することができる。ベルト部材２には、装飾用のアイテムが設けられていてもよい。
【００１４】
ベルト部材２は、ベース部材１に着脱自在に接続されていることが好ましい。図１及び２に示す履物用ホルダーでは、ベース部材１のかかと部分に設けられたリング部材４ａのリング内にベルト部材２が通されているので、ベルト部材２は着脱自在である。図３に示す履物用ホルダーでは、ベース部材１のかかと部分に、二本のスリットが入ったスリット部材４ｂが設けられており、スリット部材４ｂのスリットにベルト部材２が通されているので、ベルト部材２は着脱自在である。なお、図４及び５に示すように、ベルト部材２がベース部材１に固定されていてもよい。
【００１５】
ベルト部材２が接続されている位置は、図１〜３のようにかかと部分が好ましいが、図４及び５のように足の甲の脇でもよい。
【００１６】
係止部材３は、ベルト部材２を開閉可能なものであればよく、紐、ボタン、スナップ、Ｓ字フック、面ファスナー等を用いることができるが、見栄えの観点から、スナップ又はＳ字フックが好ましく、Ｓ字フックがより好ましい（図１〜５）。係止部材３により、ベルト部材２を足首及び／又は足の甲に巻き付けて固定することで、履物を履いている時にかかとが浮き上がるのを防止できる。
【００１７】
本考案の履物用ホルダーは、ベルト部材２の長さを調整するための調整部材５をさらに有することが好ましい。こうすることで、ベルト部材２を足に巻き付けた状態でしっかり固定することができる。調整部材５としては、ピンバックル、ダブルピンバックル、布ベルト用バックル、棒状バックル、リング・リボンベルト用バックル等のバックルを用いることができる。また、係止部材３として面ファスナーを用いた場合、それが調整部材５を兼ねることになる。
【００１８】
以上のような本考案の履物用ホルダーを履物に取り付けることで、ベース部材１は足と履物の間に挟まれて固定され、さらにベルト部材２を足に巻き付けた状態で足に固定できるため、歩いている時に足が前方に滑ってかかとが浮き上がることを防止することができる。また、ベース部材１は、履物と足の間に挟まれているため、装着部が外部から見えにくく、見栄えがよくなる。本考案の履物用ホルダーは、種々の履物に用いることができるが、足の甲部分が大きく開いているパンプス等の履物に好適である。
【符号の説明】
【００１９】
１    ベース部材
２    ベルト部材
３    係止部材
４ａ  リング部材
４ｂ  スリット部材
５    調整部材
【図１】
0003211115.tif 000003
【図２】
0003211115.tif 000004
【図３】
0003211115.tif 000005
【図４】
0003211115.tif 000006
【図５】
0003211115.tif 000007